(57)【要約】【課題】生活シーンに応じて発光色又は照度を手軽に変化させることができる照明器具を提供する。【解決手段】照明器具１０は、内部に発光部を収納するカバー体１２を備えている。カバー体１２は、例えば、直方体状とされており、一つの姿勢を基本姿勢として配置されると共に、この基本姿勢から回転させた複数の姿勢で配置可能とされている。発光部は、有機発光ダイオードにより構成されている。カバー体１２の内部には、カバー体１２の配置姿勢を検出するセンサーと、このセンサーにより検出したカバー体１２の配置姿勢に応じて、発光部の発光色又は発光部による所定の位置における照度を変化させる発光制御部とが設けられている。【選択図】図１
2018181498.tif 000002
【特許請求の範囲】
【請求項１】
有機発光ダイオードよりなる発光部と、
この発光部を内部に収納し、一つの姿勢を基本姿勢として配置されると共に、この基本姿勢から回転させた複数の姿勢で配置可能なカバー体と、
このカバー体の配置姿勢を検出するセンサーと、
このセンサーにより検出したカバー体の配置姿勢に応じて、前記発光部の発光色又は前記発光部による所定の位置における照度を変化させる発光制御部と
を備えたことを特徴とする照明器具。
【請求項２】
前記発光制御部は、前記カバー体を基本姿勢から手前に倒した時に、前記発光部を消灯させる機能を有することを特徴とする請求項１記載の照明器具。
【請求項３】
前記発光制御部は、時間に応じて、前記発光部の発光色又は前記発光部による所定の位置における照度を変化させる機能も有することを特徴とする請求項１又は請求項２記載の照明器具。
【請求項４】
前記発光制御部は、コンピュータにより、前記発光部の発光色又は前記発光部による所定の位置における照度を設定又は変更可能であることを特徴とする請求項１から請求項３のいずれか１に記載の照明器具。
【発明の詳細な説明】
【技術分野】
【０００１】
本発明は、生活シーンに応じて発光色又は照度を変化させることができる照明器具に関するものである。
【背景技術】
【０００２】
従来より、サーカディアンリズム等の人間の生体リズムにとって好ましい光環境を生成する照明システムが提案されている（例えば、特許文献１参照）。この照明システムは、生体リズムに沿って朝方の所定時刻から正午近傍の時刻までは部屋の環境照度が高照度となり、日の入り前後の所定時刻から夜間の所定時刻までは部屋の環境照度が低照度となるように調整するようにしたものである。
【先行技術文献】
【特許文献】
【０００３】
【特許文献１】特開２００６−２２８５３０号公報
【発明の概要】
【発明が解決しようとする課題】
【０００４】
しかしながら、このような照明システムは、部屋全体の光環境を調整するものであるので、個人の生活シーンに合わせて、好みに合った照明を手軽に調節することが難しいという問題があった。
【０００５】
本発明は、このような問題に基づきなされたものであり、生活シーンに応じて発光色又は照度を手軽に変化させることができる照明器具を提供することを目的とする。
【課題を解決するための手段】
【０００６】
本発明の照明器具は、有機発光ダイオードよりなる発光部と、この発光部を内部に収納し、一つの姿勢を基本姿勢として配置されると共に、この基本姿勢から回転させた複数の姿勢で配置可能なカバー体と、このカバー体の配置姿勢を検出するセンサーと、このセンサーにより検出したカバー体の配置姿勢に応じて、発光部の発光色又は発光部による所定の位置における照度を変化させる発光制御部とを備えたものである。
【発明の効果】
【０００７】
本発明の照明器具によれば、カバー体は、一つの姿勢を基本姿勢として配置されると共に、基本姿勢から回転さされた複数の姿勢で配置可能とされ、発光制御部によりカバー体の配置姿勢に応じて、発光部の発光色又は発光部による所定の位置における照度を変化させるようにしたので、カバー体を回転させることにより、簡単に発光色又は照度を変化させることができる。よって、個人の生活シーンに応じて、好みに合った照明を手軽に調節することができる。
【０００８】
また、発光部を有機発光ダイオードにより構成するようにしたので、自然光に近い光を得ることができ、より快適な空間を作ることができる。
【０００９】
更に、カバー体を基本姿勢から手前に倒した時に消灯するようにすれば、手軽に消灯及び点灯を制御することができる。
【００１０】
加えて、時間に応じて、発光部の発光色又は発光部による所定の位置における照度を変化させるようにすれば、人間の生体リズムに合わせた快適な照明環境を自動で調節することができる。
【００１１】
更にまた、コンピュータにより、発光部の発光色又は発光部による所定の位置における照度を設定又は変更可能とするようにすれば、個人の好みに合わせて照明を調節することができる。
【図面の簡単な説明】
【００１２】
【図１】本発明の一実施の形態に係る照明器具の外観構成を表すものである。
【図２】図１に示した照明装置の内部構成を表すブロック図である。
【発明を実施するための形態】
【００１３】
以下、本発明の実施の形態について図面を参照して詳細に説明する。
【００１４】
図１は本発明の一実施の形態に係る照明器具１０の外観構成を表すものである。図２は、図１に示した照明器具１０の内部構成を表すものである。この照明器具１０は、内部に発光部１１を収納するカバー体１２を備えている。カバー体１２は、一つの姿勢を基本姿勢として配置されると共に、この基本姿勢から回転させた複数の姿勢で配置可能とされている。具体的には、カバー体１２は、直方体状などの凸多面体状とされていることが好ましい。回転させることにより、複数の姿勢で配置可能とすることができるからである。カバー体１２は、例えば、少なくとも一部が透光性を有する材料により構成されている。
【００１５】
発光部１１は、有機発光ダイオード（以下、有機ＬＥＤと言う）により構成されている。有機ＬＥＤは自然光に近い光を得ることができるので、快適な照明環境を容易に作り出すことができる。発光部１１は、例えば、発光色を変化させる場合には、発光色の異なる複数の有機ＬＥＤを組み合わせて構成される。例えば、青色の有機ＬＥＤと、赤色の有機ＬＥＤと、白色の有機ＬＥＤを組み合わせて発光部１１を構成し、それらの発光強度を調節することにより発光部１１の発光色を調節するようにしてもよい。
【００１６】
照度を変化させる場合には、発光部１１を白色の有機ＬＥＤにより構成し、発光強度を調節することにより照度を調節するようにしてもよい。また、発光色及び照度を変化させる場合には、発光色の異なる複数の有機ＬＥＤを組み合わせて構成し、それらの発光強度を調節することにより発光部１１の発光色及び照度を調節するようにしてもよい。
【００１７】
この照明器具１０は、また、カバー体１２の内部は、カバー体１２の配置姿勢を検出するセンサー１３と、このセンサー１３により検出したカバー体１２の配置姿勢に応じて、発光部１１の発光色又は発光部による所定の位置における照度を変化させる発光制御部１４とを備えている。センサー１３は、例えば、２軸（Ｘ軸（横）、Ｙ軸（縦））又は３軸（Ｘ軸（横）、Ｙ軸（縦）、Ｚ軸（前後））の加速度センサーを使用することが好ましい。センサー１３は、例えば、配置姿勢における重力加速度を検知し、カバー体１２の基本姿勢からの傾きを判断して、発光制御部１４に出力するようになっている。
【００１８】
発光制御部１４は、例えば、センサー１３から入力された信号に応じて、発光部１１の発光色が所定の色となるように、又は、発光部１１による所定の位置における照度が所定の値となるように、発光部１１の発光を調節する機能を有している。これにより、この照明器具１０は、カバー体１２を回転させることにより、簡単に発光色又は照度を変化させることができるようになっている。
【００１９】
また、発光制御部１４は、例えば、カバー体１４が基本姿勢から手前に倒された時に、発光部１１を消灯させる機能を有していることが好ましい。カバー体１２を倒したり起こしたりすることにより、感覚的に消灯及び点灯を制御することができるからである。更に、発光制御部１４は、例えば、時間に応じて、発光部１１の発光色又は発光部１１による所定の位置における照度を変化させる機能も有していることが好ましい。人間の生体リズムに合わせた快適な照明環境を自動で調節することができるからである。加えて、発光制御部１４は、例えば、パソコンやスマートフォンなどのコンピュータにより、発光部１１の発光色又は発光部１１による所定の位置における照度を設定又は変更可能とされていることが好ましい。個人の好みに合わせて照明を調節することができるからである。
【００２０】
なお、この照明器具は、プラグ１５を介して、電源に接続されて用いられる。また、カバー体１２の内部に、図示しない電池を備えるようにしてもよい。
【００２１】
このように本実施の形態によれば、カバー体１２は、一つの姿勢を基本姿勢として配置されると共に、基本姿勢から回転さされた複数の姿勢で配置可能とされ、発光制御部１４によりカバー体１２の配置姿勢に応じて、発光部１１の発光色又は発光部１１による所定の位置における照度を変化させるようにしたので、カバー体１２を回転させることにより、簡単に発光色又は照度を変化させることができる。よって、個人の生活シーンに応じて、好みに合った照明を手軽に調節することができる。
【００２２】
また、発光部１１を有機発光ダイオードにより構成するようにしたので、自然光に近い光を得ることができ、より快適な空間を作ることができる。
【００２３】
更に、カバー体１２を基本姿勢から手前に倒した時に消灯するようにすれば、手軽に消灯及び点灯を制御することができる。
【００２４】
加えて、時間に応じて、発光部１１の発光色又は発光部１１による所定の位置における照度を変化させるようにすれば、人間の生体リズムに合わせた快適な照明環境を自動で調節することができる。
【００２５】
更にまた、コンピュータにより、発光部１１の発光色又は発光部１１による所定の位置における照度を設定又は変更可能とするようにすれば、個人の好みに合わせて照明を調節することができる。
【００２６】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２７】
照明に用いることができる。
【符号の説明】
【００２８】
１０…照明器具、１１…発光部、１２…カバー体、１３…センサー、１４…発光制御部、１５…プラグ
【図１】
2018181498.tif 000003
【図２】
2018181498.tif 000004